(57)【要約】      （修正有）【課題】一般の利用者に対しても使い勝手の良い個人情報の保護に充分に配慮したエレベータ制御装置を提供する。【解決手段】エレベータ制御装置３は、特定利用者に関する所定情報を記録した記録領域をそれぞれ有する複数のＩＣタグ１を発行するタグ発給部４０と、個別ＩＣタグ１の記録領域に記録された所定情報を読み取る無線通信部２と、無線通信部２により読み取られた所定情報の内容に従って呼び制御信号２０ｂに基づいてエレベータの運行を制御する運行制御部３１と、ＩＣタグ１の発行を受けた特定利用者がＩＣタグ１を不要とするときにＩＣタグ１を回収するタグ回収部５０と、運行制御部３１により呼び制御信号が生成される際に所定情報の内容を反映させると共にタグ発給部４０で発行されたＩＣタグ１がタグ回収部５０により回収されるまでの間のＩＣタグ１の移動を管理するタグ管理部３０とを備える。【選択図】図１
2007254044.tif 000002
【特許請求の範囲】
【請求項１】
特定利用者に関する所定情報を記録した記録領域をそれぞれ有するＩＣタグを発行するタグ発給部と、
前記タグ発給部より発行された前記ＩＣタグのそれぞれとの間で双方向無線通信を行なうことにより個別ＩＣタグの前記記録領域に記録された前記所定情報を読み取る無線通信部と、
前記無線通信部により読み取られた前記所定情報の内容に従ってエレベータへの呼び制御信号を生成すると共に前記呼び制御信号に基づいてエレベータの運行を制御する運行制御部と、
前記ＩＣタグの発行を受けた前記特定利用者が該ＩＣタグを不要とするときに該ＩＣタグを回収するタグ回収部と、
前記運行制御部により前記呼び制御信号が生成される際に前記所定情報の内容を反映させると共に前記タグ発給部で発行された前記ＩＣタグが前記タグ回収部により回収されるまでの間の前記ＩＣタグの移動を管理するタグ管理部と、
を備えることを特徴とするエレベータ制御装置。
【請求項２】
前記無線通信部は前記エレベータが設置された建物内に設けられ、前記建物内の前記特定利用者の移動は前記無線通信部からの読み取り信号により前記タグ管理部へ伝送されていることを特徴とする請求項１に記載のエレベータ制御装置。
【請求項３】
前記無線通信部は前記エレベータが設置された建物内に設けられると共に、前記タグ管理部による前記特定利用者の前記建物内全体の移動を管理可能とするために前記特定利用者の移動が許可される建物内の領域と時間以外の場所と時間に前記ＩＣタグを検知したときに警報を発する警報手段が各無線通信部に設けられることを特徴とする請求項１に記載のエレベータ制御装置。
【請求項４】
前記タグ発給部は前記エレベータが設置された建物内に設けられると共に、前記所定情報として前記特定利用者の属性情報を入力する入力手段と、前記入力手段より入力された前記属性情報を前記ＩＣタグの前記記録領域に記録する属性情報処理部と、前記属性情報処理部で処理された前記属性情報を前記タグ管理部へ送ると共に前記ＩＣタグの発行を指示する内部制御部と、前記内部制御部の制御に基づいて前記属性情報が書き込まれた前記ＩＣタグを発行する発券部と、を備えることを特徴とする請求項１に記載のエレベータ制御装置。
【請求項５】
前記タグ発給部は前記エレベータが設置された建物内に設けられると共に、前記所定情報として前記特定利用者の利用形態を入力する入力手段と、前記入力手段より入力された前記利用形態を前記ＩＣタグの前記記録領域に記録する利用形態処理部と、前記利用形態処理部で処理された前記利用形態を前記タグ管理部へ送ると共に前記ＩＣタグの発行を指示する内部制御部と、前記内部制御部の制御に基づいて前記利用形態が書き込まれた前記ＩＣタグを発行する発券部と、を備えることを特徴とする請求項１に記載のエレベータ制御装置。
【請求項６】
前記タグ発給部は前記エレベータが設置された建物内に設けられると共に前記所定情報として前記特定利用者の利用時間帯を入力する入力手段を備え、前記入力手段より入力された前記利用時間帯を前記ＩＣタグの前記記録領域に記録する利用時間帯処理部と、前記利用時間帯処理部で処理された前記利用時間帯を前記タグ管理部へ送ると共に前記ＩＣタグの発行を指示する内部制御部と、前記内部制御部の制御に基づいて前記利用時間帯が書き込まれた前記ＩＣタグを発行する発券部と、を備えることを特徴とする請求項１に記載のエレベータ制御装置。
【請求項７】
前記タグ発給部は前記エレベータが設置された建物内に設けられると共に前記所定情報として前記特定利用者の利用階床を入力する入力手段を備え、前記入力手段より入力された前記利用階床を前記ＩＣタグの前記記録領域に記録する利用階床処理部と、前記利用階床処理部で処理された前記利用階床を前記タグ管理部へ送ると共に前記ＩＣタグの発行を指示する内部制御部と、前記内部制御部の制御に基づいて前記利用階床が書き込まれた前記ＩＣタグを発行する発券部と、を備えることを特徴とする請求項１に記載のエレベータ制御装置。
【発明の詳細な説明】
【技術分野】
【０００１】
本発明は、エレベータ制御装置に関し、特に、エレベータの近傍における利用者の認識と所定の処理操作を集積回路（ＩＣ―Integrated Circuit）タグを用いて行なうエレベータ制御装置に関する。
【背景技術】
【０００２】
高齢者や身体障害者などの特定のエレベータ利用者が簡単にエレベータを利用することができるように、特定のエレベータ利用者の身体や車いす等にＩＣタグを取り付けておいて、ＩＣタグの発信を感知する呼び出し感知手段をエレベータホールやかご内に設けて認識させることによりエレベータを管理するエレベータ管理システムが特許文献１に開示されている。この特許文献１に記載されたエレベータ管理システムは、身体障害者がエレベータホールに来ると、エレベータホールに設置された呼び出し感知手段が身体障害者のＩＣタグの発信を感知してその階床における身体障害者の呼びを発生させ、更にエレベータのかごが到着するとその戸を開放し、身体障害者がエレベータのかご内に搭乗したことを乗りかご側の呼び出し感知手段が感知してかごの戸を閉鎖する。このようにして、腕などが不自由な重度の障害者であっても、一人でエレベータを利用することができ、また、障害者が優先的に搭乗することのできるエレベータ管理システムを提供している。
【０００３】
また、特許文献２には、無線通信を利用した無線ＩＤ（RF identification）タグ・携帯電話・ＰＤＡ（Personal  Digital Assistant―携帯情報端末―）などの個人情報端末を用いて建物の出入り口や建物内のドアやエレベータの乗り場近傍などで個人情報端末を携帯した人がその場所を通過したという情報を事前に入手して、その入手した情報を用いて該当する人がエレベータの乗り場に到着するまでの間に、事前に最適運行の解析を行なうことにより、利用者の待ち時間を短縮する技術が提案されている。
【特許文献１】特開２００３−４８６７１号公報
【特許文献２】特開２００３−２２６４７３号公報
【発明の開示】
【発明が解決しようとする課題】
【０００４】
しかしながら、上述した従来のエレベータ管理システムによれば、ＩＣタグや個人情報端末を携帯した特定の利用者に限り、サービスの向上が図られており、一般の利用者に対するサービスの向上には寄与していないという問題がある。また、エレベータ管理システムが利用者個人のＩＣタグや個人情報端末に対してアクセスするために、個人情報保護の観点からは好ましくないという問題もある。
【０００５】
本発明は上記問題に鑑みてなされたものであり、一般の利用者に対してもＩＣタグカードを容易に発行することにより使い勝手の良い個人情報の保護に配慮したエレベータ制御システムを提供することを目的とする。
【課題を解決するための手段】
【０００６】
上記の課題を解決するため、本発明の第１構成に係るエレベータ制御装置は、特定利用者に関する所定情報を記録した記録領域をそれぞれ有するＩＣタグを発行するタグ発給部と、前記タグ発給部より発行された前記ＩＣタグのそれぞれとの間で双方向無線通信を行なうことにより個別ＩＣタグの前記記録領域に記録された前記所定情報を読み取る無線通信部と、前記無線通信部により読み取られた前記所定情報の内容に従ってエレベータへの呼び制御信号を生成すると共に前記呼び制御信号に基づいてエレベータの運行を制御する運行制御部と、前記ＩＣタグの発行を受けた前記特定利用者が該ＩＣタグを不要とするときに該ＩＣタグを回収するタグ回収部と、前記運行制御部により前記呼び制御信号が生成される際に前記所定情報の内容を反映させると共に前記タグ発給部で発行された前記ＩＣタグが前記タグ回収部により回収されるまでの間の前記ＩＣタグの移動を管理するタグ管理部と、を備えることを特徴とする。
【０００７】
本発明の第２構成に係るエレベータ制御装置は、上記第１構成に記載のものにおいて、前記無線通信部は前記エレベータが設置された建物内に設けられ、前記建物内の前記特定利用者の移動は前記無線通信部からの読み取り信号により前記タグ管理部へ伝送されていることを特徴とする。
【０００８】
本発明の第３構成に係るエレベータ制御装置は、上記第１構成に記載のものにおいて、前記無線通信部は前記エレベータが設置された建物内に設けられると共に、前記タグ管理部による前記特定利用者の前記建物内全体の移動を管理可能とするために前記特定利用者の移動が許可される建物内の領域と時間以外の場所と時間に前記ＩＣタグを検知したときに警報を発する警報手段が各無線通信部に設けられていることを特徴とする。
【０００９】
本発明の第４構成に係るエレベータ制御装置は、上記第１構成に記載のものにおいて、前記タグ発給部は前記エレベータが設置された建物内に設けられると共に、前記所定情報として前記特定利用者の属性情報を入力する入力手段と、前記入力手段より入力された前記属性情報を前記ＩＣタグの記録領域に記録する属性情報処理部と、前記属性情報処理部で処理された前記属性情報を前記タグ管理部へ送ると共に前記ＩＣタグの発行を指示する内部制御部と、前記内部制御部の制御に基づいて前記属性情報が書き込まれた前記ＩＣタグを発行する発券部と、を備えることを特徴とする。
【００１０】
本発明の第５構成に係るエレベータ制御装置は、上記第１構成に記載のものにおいて、前記タグ発給部は前記エレベータが設置された建物内に設けられると共に、前記所定情報として前記特定利用者の利用形態を入力する入力手段と、前記入力手段より入力された前記利用形態を前記ＩＣタグの記録領域に記録する利用形態処理部と、前記利用形態処理部で処理された前記利用形態を前記タグ管理部へ送ると共に前記ＩＣタグの発行を指示する内部制御部と、前記内部制御部の制御に基づいて前記利用形態が書き込まれた前記ＩＣタグを発行する発券部とを備えることを特徴とする。
【００１１】
本発明の第６構成に係るエレベータ制御装置は、上記第１構成に記載のものにおいて、前記タグ発給部は前記エレベータが設置された建物内に設けられると共に前記所定情報として前記特定利用者の利用時間帯を入力する入力手段を備え、前記入力手段より入力された前記利用時間帯を前記ＩＣタグの記録領域に記録する利用時間帯処理部と、前記利用時間帯処理部で処理された前記利用時間帯を前記タグ管理部へ送ると共に前記ＩＣタグの発行を指示する内部制御部と、前記内部制御部の制御に基づいて前記利用時間帯が書き込まれた前記ＩＣタグを発行する発券部と、を備えることを特徴とする。
【００１２】
本発明の第７構成に係るエレベータ制御装置は、上記第１構成に記載のものにおいて、前記タグ発給部は前記エレベータが設置された建物内に設けられると共に前記所定情報として前記特定利用者の利用階床を入力する入力手段を備え、前記入力手段より入力された前記利用階床を前記ＩＣタグの記録領域に記録する利用階床処理部と、前記利用階床処理部で処理された前記利用階床を前記タグ管理部へ送ると共に前記ＩＣタグの発行を指示する内部制御部と、前記内部制御部の制御に基づいて前記利用階床が書き込まれた前記ＩＣタグを発行する発券部と、を備えることを特徴とする。
【発明の効果】
【００１３】
本発明は、一般の利用者に対してもＩＣタグを容易に発行することにより、使い勝手の良い、個人情報の保護に配慮した、エレベータ制御システムを提供することができる。
【発明を実施するための最良の形態】
【００１４】
以下、添付図面を参照しながら本発明に係るエレベータ制御装置の実施形態について詳細に説明する。
【００１５】
［第１実施形態］
本発明に係るエレベータ制御装置の第１実施形態について、図１ないし図３を参照しながら説明する。図１は、本発明の第１実施形態によるエレベータ制御装置の概略構成を示すブロック図である。図１において、第１実施形態のエレベータ制御装置３は、カード状またはネームプレート状に形成されたＩＣタグ１は、タグ発給部４０から発行されて、タグ回収部５０により回収される。具体的なＩＣタグ１はタグ１ａ，１ｂ，１ｃ，１ｄを含み、タグ発給部４０は個々の発給部４ａ，５ａ，６ａ，７ａ，８ａ，８ｂ，８ｃ，８ｄを含み、タグ回収部５０は個々の回収部４ｂ，５ｂ，６ｂ，７ｂ，８ｅ，８ｆ，８ｇ，８ｈを含んでいる。
【００１６】
また、ＩＣタグ１ａないし１ｄは、無線通信部２との間で双方向通信することによって記録領域に記録された所定情報が読み取られる。所定情報の具体例は、後述する第２ないし第５実施形態に例示されているように、利用者の属性に関する情報、特定利用者の利用形態に関する情報、特定利用者の利用時間帯に関する情報、特定利用者の利用階床に関する情報などが含まれる。要するに、エレベータが設置された建物との間に一定の利用関係が認められれば、ＩＣタグ１が発行される。したがって、エレベータが設置された建物との間に一定の利用関係が全く認められない、完全な部外者に対してエレベータを全く利用できないように設定することにより、エレベータの利用のし易さに加えて建物内のセキュリティの確保にも資することができる。
【００１７】
また、タグ発給部４０は、特定利用者に関する所定情報を記録した記録領域をそれぞれ有する複数のＩＣタグ１ａ〜１ｄを発行し、無線通信部２は、タグ発給部より発行された複数のＩＣタグのそれぞれとの間で双方向無線通信を行なうことにより個別ＩＣタグ１ａ〜１ｄの記録領域に記録された所定情報を読み取っており、運行制御部３１は、無線通信部２により読み取られた所定情報の内容に従ってエレベータへの呼び制御信号を生成すると共に前記呼び制御信号に基づいてエレベータの運行を制御する。
【００１８】
タグ回収部５０は、ＩＣタグ１ａ〜１ｄの発行を受けた特定利用者が該ＩＣタグ１を不要とするときに該ＩＣタグを基板ごと回収する。タグ管理部３０は、運行制御部３１により呼び制御信号が生成される際に所定情報の内容を反映させると共にタグ発給部４０で発行されたＩＣタグ１がタグ回収部５０により回収されるまでの間のＩＣタグ１ａ〜１ｄの移動を管理している。
【００１９】
なお、無線通信部２は、エレベータ乗り場およびかご内の操作盤内に設置されている。また、無線通信部２は、エレベータが設置された建物内の複数箇所に設けられていても良い。また、利用者の移動が許可される建物内の領域以外の場所で、あるいは、移動が許可される時間以外の時間に、ＩＣタグ１を検知したときに警報を発する警報手段３２を各無線通信部２が備えていても良い。これは、ＩＣタグ管理部３０による利用者の建物内全体の移動の管理を可能にするためである。
【００２０】
次に、第１実施形態に係るエレベータ制御装置の具体的な配置について、図２および図３を用いて説明する。図２には、建物内の特定の階床の配置が示されている。図２において、事務所４，５，６，７は、通路８に沿って並んでおり、事務所５および６の間には、２機のエレベータ９と、トイレ１０および階段１１が配置されている。事務所４内にはタグ発給部４ａとタグ回収部４ｂが設けられ、事務所５内にはタグ発給部５ａとタグ回収部５ｂが設けられ、事務所６内にはタグ発給部６ａとタグ回収部６ｂが設けられ、事務所７内にはタグ発給部７ａとタグ回収部７ｂが設けられている。また、通路８にもタグ発給部８ａ，８ｂ，８ｃ，８ｄとタグ回収部８ｅ，８ｆ，８ｇ，８ｈが設けられている。
【００２１】
このようにタグ発給部とタグ回収部とは、１つの階床でも随所に設けられているので、エレベータを利用することを望む利用者は何れのタグ発給部からでもＩＣタグの発行を受けることができ、また、利用する必要がなくなった場合には、いつでもタグ回収部に返却することができる。
【００２２】
図３は、エレベータの乗りかご１６とその利用者１２、１８とを上から見た平面図であり、ＩＣタグの使用方法を示している。図３において、利用者１２はエレベータ９の乗り場ホール１３Ａでかご１６が到着するのを待っている。利用者１２の肩、袖口、胸などの身体の一部にはＩＣタグ１２ａが貼付されている。利用者１２はホール１３Ａの乗り場操作盤１３の前に立つと、操作盤１３は双方向通信手段２を内蔵しているので、双方向通信手段２を介してかご１６側の操作盤１７の双方向通信手段２に呼びを掛けて、エレベータ９のかご１６を呼び寄せる。かご１６内でも、利用者１８の身体の一部（肩、袖口、胸）にＩＣタグ１８ａが貼付されており、かご１６内の操作盤１７を介してＩＣタグ１８ａの情報が読み取られて操作盤１７の双方向通信手段２を介してタグ管理部３０との間で利用者の行き先階や利用可能時間等の管理情報が管理されて運行制御部３１を介してエレベータ９を管理している。
【００２３】
このように建物内の随所に設けられたＩＣタグ１用の発給部４０と回収部５０とにより利用者１２，１８は容易にＩＣタグ１の発行を受けることができる。また、利用者１２，１８の肩や袖口にＩＣタグ１２ａ，１８ａを貼付して建物内を移動することにより、建物内の利用者にとってエレベータの呼び情報を容易に発信することができる。さらに、建物およびエレベータ利用者へのサービスを向上させることができる。また、一対の回収部５０と発給部４０は建物内の随所に設けられているので、ＩＣタグの回収も容易に行なうことができ、さらに、ＩＣタグ１は回収部５０により回収されてしまうと、ＩＣタグ１の情報記録部に記録された特定情報も完全に廃棄されるため、情報に関するセキュリティを確実に守ることができる。
【００２４】
［第２実施形態］
次に図４および図５を参照しながら第２実施形態に係るエレベータ制御装置について説明する。第２実施形態の構成を示す図４において、タグ発給部４０（４ａ，５ａ，６ａ，７ａ，８ａ，８ｂ，８ｃ，８ｄ）の詳細構成は、前面に所定情報の入力手段としての操作部１９とＩＣタグを実際に発行する発券部２２が設けられており、タグ発給部４０の内側には、内部制御部２０と、利用者の所定情報としての属性情報を情報処理する属性情報処理部２１とを備えている。すなわち、この第２実施形態のエレベータ制御装置において、タグ発給部４０は、エレベータ９が設置された建物内の複数箇所に設けられると共に所定情報として特定利用者の属性情報を入力する特定情報入力手段としての操作部１９を備えており、タグ管理部３０は操作部１９より入力された特定利用者の属性情報の階床に関する情報を操作信号１９ａとして内部制御部２０に送信し、内部制御部２０は、この操作信号１９ａを運行制御部３１に供給し、運行制御部３１は、操作信号１９ａに基づいて呼び制御信号２０ｂを生成してタグ管理部３０に出力している。
【００２５】
次に、図５のフローチャートも参照しながら、第２実施形態における発行処理動作について説明する。ステップＳ１で処理動作がスタートすると、ステップＳ２で利用者は特定情報入力手段としての操作部１９を介して利用者の属性を自ら入力する。まず、ステップＳ３において、この建物内のエレベータを利用することができる利用者属性を有するか否かを入力するように求められ、利用者属性がないと操作ないしは入力した場合は、ステップＳ４へ進んで、一般の呼びのＩＣカードを発行すると共に一般の呼び用の呼び制御信号２０ｂが出力される。
【００２６】
ステップＳ３で利用者属性があるものとされた場合には、ステップＳ５でＶＩＰ属性があるか否かを入力し、ＶＩＰ属性があると入力されたときにはステップＳ６でＶＩＰ呼びのＩＣカードが発行されてＶＩＰ呼び信号が出力される。ステップＳ５でＶＩＰ特性がないものとされた場合、ステップＳ７へ進み、身体障害者の属性があるか否かを入力し、身体障害者属性があるものと入力された場合はステップＳＴで身体障害者呼びのＩＣカードが発行されて身体障害者呼び信号が出力される。ステップＳ７で身体障害者属性が入力されなかったときには、ステップＳ９へ進んでペット同伴者属性すなわちペットを連れている利用者であるか否かを入力する。
【００２７】
ペットを連れていたためにステップＳ９でペット同伴者属性ありと入力したときには、ステップＳ１０へ進んでペット同伴者呼びのＩＣカードを発行してペット同伴者呼び信号を出力し、ステップＳ９でペット同伴者属性がないものと入力された場合には、ステップＳ１１で処理動作を終了する。ステップＳ３，Ｓ５，Ｓ７，Ｓ９の各入力ステップにおいてそれぞれの利用者属性を入力して、ＶＩＰ属性、身障者属性、ペット同伴属性等の属性を有していない場合には最初にステップＳ３で一般の呼びのＩＣカードを発行して一般の呼び信号を出力するようにすれば、その後のステップＳ５，Ｓ７，Ｓ９等の煩雑な入力動作は不要となる。
【００２８】
以上のようにして、利用者属性を入力されたＩＣタグを発行された利用者は、その利用者属性のＩＣタグを身体の一部分例えば肩などに貼付して操作盤１３，１７の前に立つだけで、ＩＣタグから何れかの属性呼びの信号が無線通信部２に発信され、無線通信部２から運行制御部３１へ利用者属性情報が送られ、運行制御部３１はその利用者に特有の利用者属性を発信するＩＣタグからの情報に基づいて、エレベータの運行を管理する。ＩＣタグに利用者属性が設定されている場合には、以上のようにして、ＩＣタグの発行操作やエレベータの運行の管理が行なわれる。
【００２９】
［第３実施形態］
次に、図６および図７を参照しながら第３実施形態に係るエレベータ制御装置について説明する。第３実施形態は、第１実施形態におけるＩＣタグ１の記録領域に記録される所定情報として、利用者のその建物内における利用形態をＩＣタグの記録領域に記録するものである。利用形態というのは、その建物内でその利用者がエレベータをどのように利用するかという利用目的をいう。具体的には、その建物の最上階に有料展望室が設けられている場合に、その展望室まで直行して周囲の景観の展望を希望する利用者であるとか、エレベータが設置された建物の高層部に事務所に勤務したり訪問したりする利用者であるとか、エレベータを含む建物内の設備の保守作業に従事する利用者である。
【００３０】
タグ発給部４０（４ａ，５ａ，…，７ａ，８ａ，８ｂ，〜８ｄ）は、図２と同様にエレベータ９が設置された建物内の複数箇所に設けられると共に、図７に示すように所定情報として特定利用者利用形態を入力する入力手段としての操作部１９と、操作部１９より入力された利用形態をＩＣタグの記録領域に記録する利用形態処理部２３と、利用形態処理部２３で処理された利用形態を含む呼び信号２０ｂを図１に示すタグ管理部３１へ送ると共にＩＣタグの発行を指示する内部制御部２０と、内部制御部２０の制御に基づいてその建物内での利用形態が書き込まれたＩＣタグを発行する発券部２２と、を備えている。
【００３１】
以上の構成を有する第３実施形態のエレベータ制御装置は、図６のフローチャートに示す処理動作を経てＩＣタグを発行している。図６において、図５と同一符号を付した処理ステップは第２実施形態と同一または相当の処理動作である。ステップＳ１、Ｓ２で処理動作がスタートして利用者によるＩＣタグ発給部４０への操作が行なわれる。まず、ステップＳ１２でその利用者に利用形態があるのか否かを入力させ、その利用者がエレベータまたは建物に対して特定の利用形態を有していないものと入力した場合、ステップＳ１３に進んで、一般の呼びのＩＣカードを発行して、図７の内部制御部２０は一般の呼び信号を呼び信号２０ｂとして出力する。
【００３２】
ステップＳ１２で利用者が利用形態を有しているものと操作部１９を介して入力した場合、ステップＳ１４で複数設定されている利用形態のうち展望台までの直行運転の利用形態があるか否かを入力させ、利用者が展望台までの利用形態があるものと入力すると、ステップＳ１５に進んで、展望台の呼びのＩＣカードを発券部２２より発行すると共に内部制御部２０は呼び信号２０ｂとして展望台の呼び信号をタグ管理部３１に出力する。ステップＳ１４で利用形態の内容として展望台までの直通運転が入力されなかった場合、ステップＳ１６へ進んで、高層階利用者の専用運転の利用形態があるかを入力させる。ステップＳ１６で高層階利用者の専用運転であると入力された場合、ステップＳＴ１７へ進んで高層階呼びのＩＣカードが発券部２２から発行されると共に内部制御部２０から高層階呼び信号が呼び信号２０ｂとしてタグ管理部３１へ出力される。
【００３３】
ステップＳ１６で高層階利用がないものと入力された場合には、ステップＳ１８へ進んで、保守作業者の専用運転であるか否かが入力され、保守作業者の専用運転であるものと入力された場合には、ステップＳ１９へ進んで、保守専用呼びのＩＣカードが発券部２２より発行されると共に内部制御部２０より保守専用呼び信号が呼び信号２０ｂとしてタグ管理部３１に出力されてエレベータは保守運転に切り換えられる。ステップＳ１８で保守作業者の保守専用運転であるとの入力がなかった場合、ステップＳ１１で処理動作は終了する。
【００３４】
第３実施形態は、近年、都市型複合施設としてその建設が進められている大型で高層のいわゆるタワービル内での利用者の便宜を図る場合に好適であり、上層階に展望施設や来客者用のラウンジ等が設けられている建物においては、一般の利用者と高層階利用者との利用形態によりＩＣタグの発行条件を変更しておくことにより、不慣れな外来者に対しても適切なサービスを提供することができることになる。また、高層階用の高速エレベータ等においては保守点検作業も重要な要素であるので、保守作業専用運転用のＩＣタグを発行することは意義がある。
【００３５】
［第４実施形態］
次に、図８および図９を参照しながら第４実施形態に係るエレベータ制御装置について説明する。第４実施形態は、エレベータの利用に関してその利用時間帯に関する利用制限を所定情報としてＩＣタグの記録領域に記録することにより、そのＩＣタグを装着している利用者に対してエレベータの利用時間帯を制限することができるものである。通常の利用者が昼間の勤務時間に事務所内で勤務しているような建物への訪問者に発行したり、オートドアロックシステム等を採用する住居用建物に設置されたエレベータを利用する来訪者に発行したりして、外来者の訪問先への出入りに便宜を図るためのものである。
【００３６】
図８に示すように、タグ発給部２０は、エレベータ９が設置された建物内の複数箇所に設けられる（図２参照）と共に所定情報として特定利用者の利用時間帯を入力する入力手段としての操作部１９を備え、この操作部１９より入力された利用時間帯をＩＣタグ１の記録領域に記録する（利用）時間帯処理部２４と、利用時間帯処理部２４で処理された利用時間帯をタグ管理部３１（図１参照）へ送ると共にＩＣタグの発行を指示する内部制御部２０と、内部制御部２０の制御に基づいて利用時間帯が書き込まれた前記ＩＣタグを発行する発券部２２と、を備えている。
【００３７】
この第４実施形態に係るエレベータ制御装置への利用時間帯の操作入力について図９のフローチャートを参照しながら説明する。図９において、ステップＳ１のスタートとステップＳ２の利用者の発券機４０への操作部１９への操作入力およびステップＳ１１のエンドについては第２および第３実施形態と同じである。利用者の操作部１９への入力の際にステップＳ２１において時間帯の指定がない場合には指定がないものと入力すると、ステップＳ２２で一般の呼びのＩＣカードが発券部２２から発行されると共に内部制御部２０は一般の呼び信号２０ｂをタグ管理部３１へ出力する。
【００３８】
ステップＳ２１で時間帯の指定があるものと入力された場合には、ステップＳ２３へと進んで、防犯時間帯の指定があるか否かを入力する。ステップＳ２３で防犯時間帯の指定があるものと入力された場合、ステップＳ２４へ進んで、防犯呼びのＩＣカードが発券部２２より発行されると共に、呼び信号２０ｂとして防犯呼び信号が内部制御部２０からタグ管理部３１へと出力される。
【００３９】
［第５実施形態］
この発明は、利用者に関する所定情報としてその建物内の利用者の訪問先のある階床を指定してＩＣタグを発行するようにしても良い。第５実施形態によりエレベータ制御装置は、タグ発給部がエレベータの設置された建物内の複数箇所に設けられる構成は第１ないし第４実施形態と同じであるが、所定情報として特定利用者の利用階床を入力する入力手段を備えている。この入力手段より利用の可能な階床を入力させてその入力された利用階床をＩＣタグの記録領域に記録させる利用階床処理部を設けると共に、利用階床処理部で処理された利用階床をタグ管理部３１へ送りＩＣタグの発行を指示する内部制御部が設けられている。この内部制御部の制御に基づいて、発券部により利用階床が書き込まれたＩＣタグを発行する。
【００４０】
以上の構成を備える第５実施形態のエレベータ制御装置によれば、利用者がタグ発給部４０の入力手段として、例えば図４，図７，図８のような操作部１９を操作して、図５，図６，図９のフローチャートと同様の操作手順により、利用階床を入力する。特定階床の利用制限がない場合には、一般の呼びのＩＣカードを発行して、一般の呼び信号を出力する。また、特定の訪問先を指定した場合にその訪問先の事務所が存在する階床のみを停止するような特定階床制限付きの呼びのＩＣカードを発行して、その制限付きの呼びをタグ管理部に送信するようにしても良い。
【図面の簡単な説明】
【００４１】
【図１】第１実施形態に係るエレベータ制御装置の全体構成を示すブロック図。
【図２】第１実施形態のエレベータ制御装置の建物内配置を示す説明図。
【図３】第１実施形態のエレベータ制御装置と利用者を示す平面図。
【図４】第２実施形態の制御装置のタグ発給部の構成を示すブロック図。
【図５】第２実施形態のエレベータ制御装置の処理動作を示すフローチャート。
【図６】第３実施形態のエレベータ制御装置の処理動作を示すフローチャート。
【図７】第３実施形態の制御装置のタグ発給部の構成を示すブロック図。
【図８】第４実施形態の制御装置のタグ発給部の構成を示すブロック図。
【図９】第４実施形態のエレベータ制御装置の処理動作を示すフローチャート。
【符号の説明】
【００４２】
１  ＩＣタグ（カード）
２  無線通信部
３  エレベータ制御装置
９  エレベータ
３０  タグ管理部
３１  運行制御部
３２  警報手段
４０  タグ発給部
５０  タグ回収部
１９  所定情報入力手段（操作部）
２０  内部制御部
２１  属性情報処理部
２２  発券部
２３  利用形態処理部
２４  時間帯処理部
【図１】
2007254044.tif 000003
【図２】
2007254044.tif 000004
【図３】
2007254044.tif 000005
【図４】
2007254044.tif 000006
【図５】
2007254044.tif 000007
【図６】
2007254044.tif 000008
【図７】
2007254044.tif 000009
【図８】
2007254044.tif 000010
【図９】
2007254044.tif 000011